(57)【要約】      （修正有）【課題】文書及びメール中において、手書きの文書のごとき親しみやすい文書の効果を現出させられるようにする中国語個性化書写ソフトウエアシステムの提供。【解決手段】使用者個人の中国語字体をコンピュータに入力し、コンピュータ処理後に個人化字体ファイルを構築し、使用者がコンピュータで文書メールを処理する時、この個人化字体を使用して個人化と個性化した親しみの有る文の効果を現出する。【選択図】図１
2008107558.tif 000002
【特許請求の範囲】
【請求項１】
中国語個性化書写ソフトウエアシステムにおいて、該中国語個性化書写ソフトウエアシステムは、
使用者の中国語手書き字体の入力及びキャプチャ及び字体デジタル化画像ファイルへの変換に用いられる字体入力及びキャプチャユニットと、
該字体デジタル化画像ファイルに対して二値画像の最適化処理を行い、非文字本体のノイズ或いはインク滲みを除去する二値化字体画像処理ユニットと、
該字体二値化の画像に対して曲線接近処理を行い、接近した曲線制御点で字体パラメータを形成する字体パラメータ曲線接近処理ユニットと、
構築する字体文字パラメータを既存の文字字体パラメータに置換して個人化字体を得る字体置換ユニットと、
を包含したことを特徴とする、中国語個性化書写ソフトウエアシステム。
【請求項２】
請求項１記載の中国語個性化書写ソフトウエアシステムにおいて、そのうち字体入力及びキャプチャユニットがスキャナーとされたことを特徴とする、中国語個性化書写ソフトウエアシステム。
【請求項３】
請求項１記載の中国語個性化書写ソフトウエアシステムにおいて、そのうち字体入力及びキャプチャユニットはデジタルタブレットとされたことを特徴とする、中国語個性化書写ソフトウエアシステム。
【請求項４】
請求項１記載の中国語個性化書写ソフトウエアシステムにおいて、使用する曲線接近処理方法が３次ペジエ曲線処理方法とされたことを特徴とする、中国語個性化書写ソフトウエアシステム。
【請求項５】
中国語個性化書写ソフトウエアシステムの実施方法において、この方法は少なくとも、  ａ）使用者が紙にコンピュータ字形を構築しようとする文字を書くステップ、
ｂ）使用者が書いた文字を、字体入力及びキャプチャ装置でデジタル化して画像ファイルとなすステップ、
ｃ）該画像ファイルに対して最適化する二値化画像処理を行い、非文字本体のノイズ或いはインク滲みの効果を除去して字体二値化画像を得るステップ、
ｄ）該字体二値化画像に対して曲線接近処理を行い、接近した曲線制御点で字体文字パラメータを形成するステップ、
ｅ）構築しようとする字体文字パラメータをもとの字体文字パラメータと置換し、個人化字体を得るステップ、
を包含したことを特徴とする、中国語個性化書写ソフトウエアシステムの実施方法。
【請求項６】
請求項５記載の中国語個性化書写ソフトウエアシステムの実施方法において、字体入力及びキャプチャ装置がスキャナーとされたことを特徴とする、中国語個性化書写ソフトウエアシステムの実施方法。
【請求項７】
請求項５記載の中国語個性化書写ソフトウエアシステムの実施方法において、字体入力及びキャプチャ装置がデジタルタブレットとされたことを特徴とする、中国語個性化書写ソフトウエアシステムの実施方法。
【請求項８】
請求項５記載の中国語個性化書写ソフトウエアシステムの実施方法において、使用する曲線接近処理方法が３次ペジエ曲線処理方法であることを特徴とする、中国語個性化書写ソフトウエアシステムの実施方法。
【発明の詳細な説明】
【技術分野】
【０００１】
本発明は一種の中国語個性化書写ソフトウエアシステムに係り、本発明に記載の技術特徴は、個人の中国語字体をコンピュータに入力し、トゥルータイプフォント（Ｔｒｕｅ
Ｔｙｐｅ  Ｆｏｎｔ）エッジ描写原理及びベジエ曲線等の技術を利用して個人化個性化中国語字体を製作し、並びに個人化字体ファイルを構築し、使用者がコンピュータを使用して文書メールを処理する時、この個人化字体を使用して個人化及び個性化した親しみの有る文書の効果を現出でき、中国語個性化書写ソフトウエアシステムに関するものである。
【背景技術】
【０００２】
中国語の文字の奥義とその深い文化の含蓄は、全世界の中国人の共通の高価な資産であり、書法形式を通して表現される中国語文字の美は、国際的に崇拝される芸術であり、文化の粋である。台湾は現在、世界で唯一、繁体文字を保存し、並びに日常生活において広く使用しており、中国文字（漢字）の正統な継承国であるといえる。これにより、漢字書法の維持と発揚は、意義のある使命であり、責任である。新時代のテクノロジーにより、書写の形式は伝統的な紙とペンからコンピュータタイピングへと変わり、文字の書写の生活中での比例は低くなり、個人化及び個性化の創作風潮が流行している。テクノロジー化学、個人化及び個性化の時代にあって、個人化及び個性化されたデジタル風格を中国語書法に取り入れて、貴重な文字芸術に新たな表示舞台を探し出すことにより、中国語書法の芸術と内容に、更に多くの活躍の空間を与えることができるであろう。これが本発明の中国語個性化書写ソフトウエアシステムを生むにいたった最大の動機である。
【発明の開示】
【発明が解決しようとする課題】
【０００３】
本発明の主要な目的は、一種の中国語個性化書写ソフトウエアシステムを提供することにあり、このシステムは、使用者が個人の字体をコンピュータに入力し、コンピュータの処理技術を通して、個人化字体ファイルを構築し、コンピュータ文書処理ソフトを利用し、文書及びメール中において、手書きの文書のごとき親しみやすい文書の効果を現出させられるようにすることにある。
【課題を解決するための手段】
【０００４】
請求項１の発明は、中国語個性化書写ソフトウエアシステムにおいて、該中国語個性化書写ソフトウエアシステムは、
使用者の中国語手書き字体の入力及びキャプチャ及び字体デジタル化画像ファイルへの変換に用いられる字体入力及びキャプチャユニットと、
該字体デジタル化画像ファイルに対して二値画像の最適化処理を行い、非文字本体のノイズ或いはインク滲みを除去する二値化字体画像処理ユニットと、
該字体二値化の画像に対して曲線接近処理を行い、接近した曲線制御点で字体パラメータを形成する字体パラメータ曲線接近処理ユニットと、
構築する字体文字パラメータを既存の文字字体パラメータに置換して個人化字体を得る字体置換ユニットと、
を包含したことを特徴とする、中国語個性化書写ソフトウエアシステムとしている。
請求項２の発明は、請求項１記載の中国語個性化書写ソフトウエアシステムにおいて、そのうち字体入力及びキャプチャユニットがスキャナーとされたことを特徴とする、中国語個性化書写ソフトウエアシステムとしている。
請求項３の発明は、請求項１記載の中国語個性化書写ソフトウエアシステムにおいて、そのうち字体入力及びキャプチャユニットはデジタルタブレットとされたことを特徴とする、中国語個性化書写ソフトウエアシステムとしている。
請求項４の発明は、請求項１記載の中国語個性化書写ソフトウエアシステムにおいて、使用する曲線接近処理方法が３次ペジエ曲線処理方法とされたことを特徴とする、中国語個性化書写ソフトウエアシステムとしている。
請求項５の発明は、中国語個性化書写ソフトウエアシステムの実施方法において、この方法は少なくとも、
ａ）使用者が紙にコンピュータ字形を構築しようとする文字を書くステップ、
ｂ）使用者が書いた文字を、字体入力及びキャプチャ装置でデジタル化して画像ファイルとなすステップ、
ｃ）該画像ファイルに対して最適化する二値化画像処理を行い、非文字本体のノイズ或いはインク滲みの効果を除去して字体二値化画像を得るステップ、
ｄ）該字体二値化画像に対して曲線接近処理を行い、接近した曲線制御点で字体文字パラメータを形成するステップ、
ｅ）構築しようとする字体文字パラメータをもとの字体文字パラメータと置換し、個人化字体を得るステップ、
を包含したことを特徴とする、中国語個性化書写ソフトウエアシステムの実施方法としている。
請求項６の発明は、請求項５記載の中国語個性化書写ソフトウエアシステムの実施方法において、字体入力及びキャプチャ装置がスキャナーとされたことを特徴とする、中国語個性化書写ソフトウエアシステムの実施方法としている。
請求項７の発明は、請求項５記載の中国語個性化書写ソフトウエアシステムの実施方法において、字体入力及びキャプチャ装置がデジタルタブレットとされたことを特徴とする、中国語個性化書写ソフトウエアシステムの実施方法としている。
請求項８の発明は、請求項５記載の中国語個性化書写ソフトウエアシステムの実施方法において、使用する曲線接近処理方法が３次ペジエ曲線処理方法であることを特徴とする、中国語個性化書写ソフトウエアシステムの実施方法としている。
【発明の効果】
【０００５】
本発明の中国語個性化書写ソフトウエアシステムは、人工知能、プロフェッショナルシステム、及びモード識別等の技術を運用して個人の字体をコンピュータに入力し、個人化字体ファイルを構築し、文書及びメールに用いることができ、手書きの手紙の如くなすことができ、現代の高度情報化時代にあって、その新規な価値を有する。使用者はそれぞれが個人化に属する字体を構築でき、コンピュータ文書処理ソフトを利用し、手書き文書の効果を現出できる。
【発明を実施するための最良の形態】
【０００６】
図１は本発明の中国語個性化書写ソフトウエアシステムのシステム構造図である。図１からわかるように、本発明の中国語個性化書写ソフトウエアシステム１０１は、字体入力及びキャプチャユニット０２を具え、それは使用者の中国語手書き字体の入力及びキャプチャ、及び字体デジタル化画像ファイルへの変換に用いられる。このシステムはさらに二値化字体画像処理ユニット０３を具え、それは該字体デジタル化画像ファイルに対して二値画像の最適化処理を行い、文字本体以外のノイズ或いはインク滲みを除去する効果のために用いられる。字体パラメータ曲線接近処理ユニット０４は、該字体二値化の画像に対して曲線接近処理（３次ベジエ曲線）を行いその接近した曲線制御点で字体パラメータを形成する。字体置換ユニット０５は、構築したい字体文字パラメータを既存の字体文字に置換して個人化字体を得るのに用いられる。
【０００７】
現在、多種類の字体設計が販売されて使用者の選択に供されているが、一般に印刷される常用字体設計は例えば楷書、明朝体、隷書、篆書、等のように変化がない。近年、関係各社が提供する多種類の芸術字体、黒体、総芸体、少女文字体、及びＰＯＰ１体等が出現し、美術工芸術の要求、使用に供されている。しかし、多くの人が共用する字体では個人風格を表現することはできない。このため、本発明の中国語個性化書写ソフトウエアシステムによると、個人の中国語字体をコンピュータに入力し、個人化字体ファイルを構築し、コンピュータを使用して文書及びメール中に用いることができるようにして、手書きの手紙の如く、現在の情報化が成熟する時代にあって、斬新な選択を提供する。使用者はそれぞれ個人化字体を構築でき、コンピュータ文書処理ソフトを利用し、手書き文書の効果を現出できる。
【０００８】
トゥルータイプフォント（Ｔｒｕｅ  Ｔｙｐｅ  Ｆｏｎｔ）字体はエッジ描写の原理を採用し、個人の字体のエッジを取り出した後、このエッジをベジエ曲線を用いて描写し、その後、トゥルータイプフォント（Ｔｒｕｅ  Ｔｙｐｅ  Ｆｏｎｔ）のファイルフォーマットにより、順にエッジ描写したベジエ曲線を充填し、最後にトゥルータイプフォント（Ｔｒｕｅ  Ｔｙｐｅ  Ｆｏｎｔ）字体ファイルとして保存し、即ち、文書処理ソフトとなし、マイクロソフト（登録商標）社のＷｏｒｄ（登録商標）等のように使用することができる。以下に本発明の中国語個性化書写ソフトウエアシステムの運転フローについて説明する。図２を参照されたい。図２は本発明の中国語個性化書写ソフトウエアシステムの動作フローチャートである。
【０００９】
ステップ１０１：  手書き文字を取得する。使用者が紙の上でコンピュータ字体を構築したい文字を書き、これは図３に示されるとおりである。
ステップ１０２：  コンピュータ入力。使用者が書いた文字を、スキャナーでデジタル化して画像ファイルとなし、これは図４に示されるとおりである。
ステップ１０３：  字体画像を二値化する。最適化した二値画像を取得し、文字本体でないノイズ或いはインク滲みの効果を除去し、これは図５に示されるとおりである。
ステップ１０４：  字体パラメータの曲線を接近させる。字体二値化画像に対して曲線接近をなし（３次ベジエ曲線）、接近した曲線制御点で字体パラメータを形成し、これは図６に示されるとおりである。
ステップ１０５：  字体置換。構築したい字体文字パラメータを既存の字体文字に置換し、個人化字体を得る。これは図７に示されるとおりである。
【図面の簡単な説明】
【００１０】
【図１】本発明の中国語個性化書写ソフトウエアシステムのシステム構造図である。
【図２】本発明の中国語個性化書写ソフトウエアシステムの動作フローチャートである。
【図３】本発明の中国語個性化書写ソフトウエアシステムの実施例の表示図である。
【図４】本発明の中国語個性化書写ソフトウエアシステムの別の実施例の表示図である。
【図５】本発明の中国語個性化書写ソフトウエアシステムの字体強化実施例の表示図である。
【図６】本発明の中国語個性化書写ソフトウエアシステムの別の字体強化実施例の表示図である。
【図７】本発明の中国語個性化書写ソフトウエアシステムの個性化字体実施例の表示図である。
【符号の説明】
【００１１】
０１  中国語個性化書写ソフトウエアシステム
０２  字体入力及びキャプチャユニット
０３  二値化字体画像処理ユニット
０４  字体パラメータ曲線接近処理ユニット
０５  字体置換ユニット
【図１】
2008107558.tif 000003
【図２】
2008107558.tif 000004
【図３】
2008107558.tif 000005
【図６】
2008107558.tif 000006
【図７】
2008107558.tif 000007
【図４】
2008107558.tif 000008
【図５】
2008107558.tif 000009